(57)【要約】      （修正有）【課題】ベルトを着用する際のフィット感を損なうことがなく、リバーシブルベルトの表裏の切換の際にも着脱操作を手作業で安全かつ容易に行うことができるバックルホルダー、及びこれを備えたベルトを提供する。【解決手段】バックルとベルトとを連結するためのバックルホルダー１であって、バックルを保持するためのバックル保持部と、ベルトを保持するためのベルト保持部とを備え、ベルト保持部は、ベルトを挿入するための開口部１０Ａを有するケース本体と、該ケース本体に対して開閉可能に枢着され、且つベルトを固定するための係止突起１１２Ａを有する回動板１１Ａとを備え、回動板は、枢軸が直接取着される回動基板１１０Ａと、該回動基板の左右側方に延設される指掛部１１１Ａとを備えた。【選択図】図５
0003235082.tif 000002
【実用新案登録請求の範囲】
【請求項１】
バックルとベルトとを連結するためのバックルホルダーであって、
前記バックルを保持するためのバックル保持部と、前記ベルトを保持するためのベルト保持部とを備え、
前記ベルト保持部は、前記ベルトを挿入するための開口部を有するケース本体と、該ケース本体に対して開閉可能に枢着され、且つベルトを固定するための係止突起を有する回動板とを備え、
前記回動板は、枢軸が直接取着される回動基板と、該回動基板の左右側方に延設される指掛部とを備えたことを特徴とするバックルホルダー。
【請求項２】
前記ケース本体の左右側面のうち、閉塞状態の回動板の指掛部に近接する位置に、下方へ至るほどケース本体の内側へ入り込むように傾斜する傾斜面を備えたことを特徴とする請求項１に記載のバックルホルダー。
【請求項３】
前記指掛部が、ケース本体の側面に対して突出していることを特徴とする請求項１又は２に記載のバックルホルダー。
【請求項４】
前記指掛部の先端面がケース本体の側面と同一平面上にあることを特徴とする請求項２に記載のバックルホルダー。
【請求項５】
前記ベルト保持部は底面側に凹部を備え、前記回動板の閉塞時において指掛部が前記凹部に嵌り込み、バックル保持部の底面とベルト保持部の底面とが同一平面上にあることを特徴とする請求項１から４のいずれか１項に記載のバックルホルダー。
【請求項６】
請求項１から請求項５のいずれか１項に記載のバックルホルダーを備えたベルト。
【考案の詳細な説明】
【技術分野】
【０００１】
本考案は、バックルとベルトとを連結するバックルホルダーと、これを備えたベルトに関し、特にはリバーシブルベルトの表裏の切換の際の着脱操作にも適したバックルホルダーと、これを備えたベルトに関する。
【背景技術】
【０００２】
従来、リバーシブルに使用することができるとともに、バックル本体２１（その一部が本考案におけるバックルホルダーに相当する。）へのベルト体の挿入に係る作業を好適に行うことを目的として、二色ベルトが考案されている（例えば、特許文献１参照。）。
【先行技術文献】
【特許文献】
【０００３】
【特許文献１】実用新案登録第３２２２９９９号公報
【０００４】
当該考案によれば、バックル片体２４（本考案における回動板に相当する。）の閉塞状態において、当該バックル片体２４には、前方へ大きく張り出す指掛部が設けられている。指掛部によって、バックル片体２４を回動する際の操作が、容易となるように考えられる。
【考案の概要】
【考案が解決しようとする課題】
【０００５】
しかしながら、工具を用いることなく手作業でバックル片体２４の張り出した指掛部を操作するには、ベルトに多数の咬合部２４１が食い込んだ状態で、当該一箇所の指掛部に爪先を挿し込んで持ち上げる必要があり、爪先に負担がかかりやすく、怪我の虞があった。
【０００６】
また、バックル片体２４はその指掛部を含めて、バックル本体２１の裏面（底面）側に大きく張り出しており、ベルトを着用する際のフィット感を損なうものであった。
【０００７】
本考案は以上の事情に鑑みてなされたものであり、リバーシブルベルトの表裏の切換の際、或いは通常のベルトの長さ調節の際の、ベルトの着脱操作を手作業で安全かつ容易に行うことができ、更には、ベルトを着用する際のフィット感を損なうことがないバックルホルダーと、これを備えたベルトの提供を、考案が解決しようとする課題とする。
【課題を解決するための手段】
【０００８】
本考案は、バックルとベルトとを連結するためのバックルホルダーであって、
前記バックルを保持するためのバックル保持部と、前記ベルトを保持するためのベルト保持部とを備え、前記ベルト保持部は、前記ベルトを挿入するための開口部を有するケース本体と、該ケース本体に対して開閉可能に枢着され、且つベルトを固定するための係止突起を有する回動板とを備え、前記回動板は、枢軸が直接取着される回動基板と、該回動基板の左右側方に延設される指掛部とを備えたことを特徴とするバックルホルダー、及び、当該バックルホルダーを備えたベルトを、上記課題を解決するための手段とする。
【考案の効果】
【０００９】
本考案によれば、バックルとベルトとを連結するためのバックルホルダーであって、前記バックルを保持するためのバックル保持部と、前記ベルトを保持するためのベルト保持部とを備え、前記ベルト保持部は、前記ベルトを挿入するための開口部を有するケース本体と、該ケース本体に対して開閉可能に枢着され、且つベルトを固定するための係止突起を有する回動板とを備え、前記回動板は、枢軸が直接取着される回動基板と、該回動基板の左右側方に延設される指掛部とを備えたことから、左右側方に延設された指掛部を親指と人差し指で摘んで持ち上げるだけで、回動板を回動させることができ、リバーシブルベルトの表裏の切換の際、或いは通常のベルトの長さ調節の際の、着脱操作を簡単に行うことができる。また、この際に、二箇所に設けられた指掛部を、指の腹で押さえて持ち上げるため、爪先を傷めることもなく、手作業で安全に行うことができる。
【図面の簡単な説明】
【００１０】
【図１】実施例に係るリバーシブルベルトの組立前の状態を示す説明図である。
【図２】実施例に係るリバーシブルベルトの組立状態を示す（ａ）平面（表面）図、（ｂ）底面（裏面）図である。
【図３】実施例１に係るバックルホルダーの（ａ）平面図、（ｂ）正面図、（ｃ）背面図である。
【図４】実施例１に係るバックルホルダーの（ａ）底面図、（ｂ）右側面図、（ｃ）回動板を回動させた状態の右側面図である。
【図５】実施例１に係るバックルホルダーの（ａ）斜視図、（ｂ）回動板を回動させた状態の斜視図である。
【図６】実施例２に係るバックルホルダーの（ａ）斜視図、（ｂ）回動板を回動させた状態の斜視図である。
【考案を実施するための形態】
【００１１】
本考案の一実施形態に係るバックルホルダーは、バックルとベルトとを連結するためのバックルホルダーであって、前記バックルを保持するためのバックル保持部と、前記ベルトを保持するためのベルト保持部とを備え、前記ベルト保持部は、前記ベルトを挿入するための開口部を有するケース本体と、該ケース本体に対して開閉可能に枢着され、且つベルトを固定するための係止突起を有する回動板とを備え、前記回動板は、枢軸が直接取着される回動基板と、該回動基板の左右側方に延設される指掛部とを備えたことを特徴とするバックルホルダーとすることができる（第１の構成）。
【００１２】
上記第１の構成によれば、左右側方に延設された指掛部を親指と人差し指で摘んで持ち上げるだけで、回動板を回動させることができ、リバーシブルベルトの表裏の切換の際、或いは通常のベルトの長さ調節の際の、着脱操作を簡単に行うことができる。また、この際に、二箇所に設けられた指掛部を、指の腹で押さえて持ち上げるため、爪先を傷めることもなく、手作業で安全に行うことができる。
【００１３】
また上記第１の構成において、前記ケース本体の左右側面のうち、閉塞状態の回動板の指掛部に近接する位置に、下方へ至るほどケース本体の内側へ入り込むように傾斜する傾斜面を備えた構成とすることができる（第２の構成）。
【００１４】
上記第２の構成によれば、左右側方に延設された指掛部を親指と人差し指で摘んで持ち上げる際に、指の腹が傾斜面に沿って案内され、より深く指掛部と指の腹を当接させることができるので、接触面積が増大して指掛部に、より力を掛けることができ、より容易に回動板を回動させることができ、リバーシブルベルトの表裏の切換の際、或いは通常のベルトの長さ調節の際の、着脱操作を簡単に行うことができる。
【００１５】
また上記第１若しくは第２の構成において、前記指掛部が、ケース本体の側面に対して突出している構成とすることができる（第３の構成）。
【００１６】
上記第３の構成によれば、前記指掛部が、ケース本体の側面に対して突出していることによって、指と指掛部との接触面積が増大して指掛部に、より力を掛けることができ、より容易に回動板を回動させることができ、リバーシブルベルトの表裏の切換の際、或いは通常のベルトの長さ調節の際の、着脱操作を簡単に行うことができる。
【００１７】
また上記第２の構成において、前記指掛部の先端面がケース本体の側面と同一平面上にある構成とすることができる（第４の構成）。
【００１８】
上記第４の構成によれば、傾斜面を有することによって、指と指掛部との十分な接触を確保しつつ、外観上、指掛部が突出することがなく、デザイン上優れたものとすることができる。
【００１９】
また、上記第１から第４のいずれかの構成において、前記ベルト保持部は底面側に凹部を備え、前記回動板の閉塞時において指掛部が前記凹部に嵌り込み、バックル保持部の底面とベルト保持部の底面とが同一平面上にある構成とすることができる（第５の構成）。
【００２０】
上記第５の構成によれば、バックル保持部の底面とベルト保持部の底面とが同一平面上にある構成とすることによって、ベルトを着用する際のフィット感を損なうことがないものとすることができる。
【００２１】
また、本考案は、上記第１の構成から第４の構成のいずれかの構成を備えた縛るホルダーを備えたベルトとすることができる（第５の構成）。
【００２２】
第５の構成によれば、ベルトを着用する際のフィット感を損なうことがなく、リバーシブルベルトの表裏の切換の際の着脱操作を手作業で安全かつ容易に行うことができるバックルホルダーを備えたベルトを提供することができる。
【実施例１】
【００２３】
以下、図面を参照し、考案の実施例に係るバックルホルダー１について説明する。図中同一又は相当部分には同一符号を付してその説明は繰り返さない。尚、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００２４】
本考案の実施例１に係るバックルホルダー１は、図１に示すように、バックル２（ピンバックル）とリバーシブルベルト本体３とを連結するためのバックルホルダー１である。
バックルホルダー１はベルト保持部１Ａとバックル保持部１Ｂとを連結して構成される。ベルト保持部１Ａは後端に開口部を有している。バックル保持部１Ｂは前端に軸保持部１０Ｂを有している。
バックル２のバックル軸体２０をバックル保持部１Ｂにおける軸保持部１０Ｂに連結し、リバーシブルベルト本体３をベルト保持部１Ａの開口部１０Ａに差し込んで連結してリバーシブルベルトＲを構成する。
【００２５】
図２に、バックルホルダー１にバックル２とリバーシブルベルト本体３とを連結して構成されるリバーシブルベルトＲの（ａ）表面（平面）、（ｂ）裏面（底面）を示す。
（ａ）に示すように、表面側から見ると、バックルホルダー１の左右両側面（図面上、バックルホルダー１の上下）に指掛部１１１Ａが表れる。
また（ｂ）に示すように、裏面側には、指掛部１１１Ａを含む回動板１１Ａが表れる。回動板１１Ａは、リバーシブルベルト本体３の固定、解除に用いるものである。バックルホルダー１の後端には、回動軸１２Ａが設けられている。回動軸１２Ａは、回動板１１Ａを回動可能とするものである。
【００２６】
バックルホルダー１の詳細について、図３から図５に示すとともに説明する。
【００２７】
バックルホルダー１におけるベルト保持部１Ａとバックル保持部１Ｂとを連結する手段として、係着具４が使用される（図３（ｃ）、図５参照。）。係着具４は、頭部に十字溝が設けられており、脚側の先端に扇板状の係着手段４０が設けられている（図３（ｂ）参照。）。図示されないコイルばねで反発付勢をさせつつ扇板状の係着手段４０をバックル保持部宇１Ｂに設けた十字形状の係着穴１３Ｂに通して回転させることで、先端の係着手段４０と係着穴１３Ｂを係合させ、ベルト保持部１Ａとバックル保持部１Ｂを連結固定している。
【００２８】
回動板１１Ａを閉塞した状態において、ベルト保持部１Ａの底面とバックル保持部１Ｂの底面（本発明において、回動板１１Ａの底面を含む。）とは、同一平面を構成し、平坦に形成されている（図３（ｂ）、（ｃ）、図４（ｂ）、図５（ａ）参照。）。
【００２９】
またベルト通し部１２Ｂを除いたバックル保持部１Ｂの上面と、ベルト保持部１Ａの上面とは、同一平面を構成し、平坦に形成されている。これによって、ベルト通し部１２Ｂに対してリバーシブルベルト本体３の他端を円滑に通すことができる。
【００３０】
またベルト保持部１Ａの側面とバックル保持部１Ｂの側面とは、傾斜面１４０Ａを除き、同一平面を構成し、平坦に形成されているが、ベルト保持部１Ａの側面から指掛部１１１Ａのみが突出した構成となっている。
【００３１】
バックルホルダー１におけるバックル保持部１Ｂは、保持部基体１０Ｂと、その前方に連設される軸保持部１１Ｂと、保持部基体１０Ｂの上方に連設されるベルト通し部１２Ｂとを備える。保持部基体１０Ｂは、係着具４の先端の係着手段４０と係着するための十字形状を有する前記係着穴１３Ｂを有している。
【００３２】
バックルホルダー１におけるベルト保持部１Ａは、ケース本体１９Ａと、回動板１１Ａと、回動軸１２Ａとを有する。
【００３３】
ケース本体１９Ａは、天板１３Ａと、天板１３Ａの左右両端から垂下される左右の側板１４Ａと、左右の側板１４Ａの下端から内側に向けて夫々形成される左右の底板１５Ａと、天板１３Ａ、側板１４Ａ、底板１５Ａの各前端に当接して設けられる前板１６Ａとを有する。
【００３４】
左右の底板１５Ａは、後端側の厚みが前端側の厚みに対して大きく形成されており、前端側と後端側の境界には段差１７Ａを設けてある。当該段差１７Ａによって、前端側の下面には凹部１８Ａが形成される。左右の側板１４Ａのうち前記凹部１８Ａに近接する部分には、前記傾斜面１４０Ａを設けている。傾斜面１４０Ａは、下方へ至るほどケース本体１９Ａの内側へ入り込むように傾斜している（図５（ｂ）参照。）。また左右の側板１４Ａの後端下方には、回動軸１２Ａを通すための軸穴を備えている。
【００３５】
ケース本体１９Ａの前板１６Ａには、係着具４を通すための図示されない貫通穴を備えている。
【００３６】
回動板１１Ａは、回動軸１２Ａ（枢軸）が直接取着される回動基板１１０Ａと、該回動基板１１０Ａの左右端部から左右方向に延設される指掛部１１１Ａと、回動基板１１０Ａの上面後端において列設される係止突起１１２Ａを有する。指掛部１１１Ａは、回動基板１１０Ａの左右端部のうち、回動端側となる位置に設けられている。このため図４（ａ）に示すように回動板１１Ａは底面視略Ｔ字形状に形成されている。
【００３７】
また回動基板１１０Ａの側面後端には、回動軸１２Ａを取着するための軸穴を有する。
【００３８】
回動板１１Ａの軸穴と、ケース本体１９Ａの軸穴とを一致させ、ケース本体１９Ａの軸穴の外側から回動軸１２Ａを挿し込むことによって、ケース本体１９Ａに対して回動板１１Ａが枢着される。
【００３９】
回動板１１Ａは閉塞状態において、指掛部１１１Ａが凹部１８Ａに嵌り込んだ状態となっている。これによって、前記したように、ベルト保持部１Ａの底面とバックル保持部１Ｂの底面（回動板の底面を含む。）とが、同一平面を有し、平坦に形成されている。
【００４０】
以上の構成によって、図４（ｃ）若しくは図５（ｂ）に示すように、回動板１１Ａを回動させて、係止突起１１２Ａをケース本体１９Ａの外へ移動させた状態で、リバーシブルベルト本体３の先端部３０を開口部１０Ａから差込み、回動板１１Ａを閉塞状態に戻すことで、係止突起１１２Ａをリバーシブルベルト本体３に食い込ませて、固定連結する。
【００４１】
この回動板１１Ａを回動させるに際して、バックルホルダー１の左右から指掛部１１１Ａおよび傾斜面１４０Ａに指の腹を当接させて、回動板１１Ａを起こすだけで、リバーシブルベルト本体３と回動板１１Ａにおける係止突起１１２Ａとの係止状態を解除することができる。即ち、回動板１１Ａの解除操作には、爪先を使う必要が全くなく、しかもバックルホルダー１における回動板１１Ａの左右の二箇所に力を作用させるので各指にかかる負荷が低減され、安全かつ容易に回動板１１Ａの解除を行うことができるのである。
また、傾斜面１４０Ａを形成したことによって、指掛部１１１Ａと指の当接面積が増加し、より指に負荷をかけずに、回動板１１Ａの解除を行うことができる。
【実施例２】
【００４２】
本考案の実施例２に係るバックルホルダー１は、図６に示すように、基本構成としては、実施例１に係るバックルホルダー１と共通する。
本実施例２に係るバックルホルダー１によれば、指掛部１１１Ａを実施例１よりも短く形成し、指掛部１１１Ａの先端面１１３Ａがケース本体１９Ａの側面と同一平面上にあるようにしたものである。
【００４３】
当該構成によれば、外観上、指掛部１１１Ａが突出しないため、より洗練されたデザインとすることができる。また、回動板１１Ａを回動させる場合には、親指と人差し指における指の腹を傾斜面１４０Ａおよび指掛部１１１Ａに当接させて、回動板１１Ａを起こすことで、行うことができる。
【００４４】
尚、上記実施例においては、バックルホルダー１の構成について、ベルト保持部１Ａとバックル保持部１Ｂとの連結は、上記係着具４を用いた構造としたが、本考案はこれに限るものではなく、螺合手段等、種々の公知手段を用いて連結することができる。
【００４５】
また上記バックルホルダー１は、ベルト保持部１Ａとバックル保持部１Ｂを別部材からなるものとしたが、本考案はこれに限るものではなく、ベルト保持部１Ａとバックル保持部１Ｂを一体に形成することも含む趣旨である。
【００４６】
また、上記実施例においては、指掛部１１１Ａは、回動基板１１０Ａの左右端部のうち、回動端側となる位置に設けられているが、本考案は上記構成に限られず、指掛部１１１Ａは、回動基板１１０Ａの左右端部のうち、回動端側以外の位置に設けることも可能である。
【００４７】
また、本考案における傾斜面１４０Ａは、一定の傾斜角度を有するものに限られず、傾斜角度が連続して異なる形状、例えば湾曲面等を含む趣旨である。
【００４８】
また、上記実施例においてはリバーシブルベルト３に適用する例を示したが、本考案においては、リバーシブルベルト３ではない通常のベルトにおいても適用することが可能である。即ち、通常のベルトの場合、長さ調節の際に、バックルホルダー１に対するベルト本体の着脱操作を容易に行うことができる。以上のように、本考案におけるベルトとは、リバーシブルベルト３ではない（表面と裏面の切換を要しない）通常のベルトも含む趣旨である。
【符号の説明】
【００４９】
Ｒ          リバーシブルベルト
１          バックルホルダー
１Ａ        ベルト保持部
１０Ａ      開口部
１１Ａ      回動板
１１０Ａ    回動基板
１１１Ａ    指掛部
１１２Ａ    係止突起
１１３Ａ    先端面
１２Ａ      回動軸
１３Ａ      天板
１４Ａ      側板
１４０Ａ    傾斜面
１５Ａ      底板
１６Ａ      前板
１７Ａ      段差
１８Ａ      凹部
１９Ａ      ケース本体
１Ｂ        バックル保持部
１０Ｂ      保持部基体
１１Ｂ      軸保持部
１２Ｂ      ベルト通し部
１３Ｂ      係着穴
２          バックル
２０        バックル軸体
３          リバーシブルベルト本体
３０        先端部
４          係着具
４０        係着手段
【図１】
0003235082.tif 000003
【図２】
0003235082.tif 000004
【図３】
0003235082.tif 000005
【図４】
0003235082.tif 000006
【図５】
0003235082.tif 000007
【図６】
0003235082.tif 000008